(57)【要約】      （修正有）【課題】家庭、病院、老人ホームなど看護人への負担、人数、長期に渡る日ごとの仕事量、それらの費用、精神的な重荷などを軽減でき、又車椅子の人々などには遠出の旅行などもっと自由に行動できる水洗トイレを提供する。【解決手段】左腿取付けバンドＢを有する排泄ホース３と、右腿取り付けバンドＣを有する洗浄水注入ホース２と、前記排泄ホースと前記洗浄水注入ホースとの中間に構成されたＶ字型排泄物溜め２１に固着された、でん部貼り付けシート７と、前記でん部貼り付けシートに固着された腰周り取り付けバンドとからなり、前記でん部貼り付けシートの固着箇所の中央には内部への貫通穴６が設けられていることを特徴とする装着ホース型水洗トイレ。【選択図】図２
0003149875.tif 000002
【実用新案登録請求の範囲】
【請求項１】
左腿取付けバンドを有する排泄ホースと、右腿取り付けバンドを有する洗浄水注入ホースと、前記排泄ホースと前記洗浄水注入ホースとの中間に構成されたＶ字型排泄物溜めに固着された、でん部貼り付けシートと、前記でん部貼り付けシートに固着された腰周り取り付けバンドとからなり、前記でん部貼り付けシートの固着箇所の中央には内部への貫通穴が設けられていることを特徴とする装着ホース型水洗トイレ。
【請求項２】
排尿ホースと、空気ホースと、且つ排尿ホースと空気ホースの前方に構成された排尿器を更に有し、前記排尿器が、前記請求項１のＶ字型排泄物溜めの前方に備えられたことを特徴とする請求項１記載の装着ホース型水洗トイレ。
【考案の詳細な説明】
【技術分野】
【０００１】
本考案は装着ホース型水洗トイレに関するものである。
【背景技術】
【０００２】
従来の水洗トイレの使用に関しては、寝たきりあるいは車椅子で生活している人々の排泄物の処理につけて、様々なオシメ及び便器等が考案されているがその交換等の手間はやはり介護人に頼っている。この様な介護人の仕事は耐え難く続けることは困難で又なり手も少ない。又長い年月に渡って看病し続けなければならない場合も少なくないのである。将来我々もこの様な介護人のお世話になる可能性が充分にあることを考えて置かねばならない。又関係家族の手間も軽減し、他の仕事に集中従事できるように問題を解決せねばならない。
【０００３】
病人を介護人達の手によってトイレに運んだり、おしりを拭ったり、シャワーで洗浄したり、それを日々数回行わなければならない場合も少なくない。
【０００４】
世の中には事故で意識を失ったりしてあるいは病気で体を動かすことの出来ない寝たきりの重症患者や老人など自分では排便処理等ができない人々や下半身が麻痺しており車椅子で生活している人達並びに老化が進んで粗相気味になっている人達及び痴呆症の人達など緊急の用便に備えねばならなくなっている人々などは多く存在する。小便でも男性はともかく女性には処理場に困る場合が多くあり又寝小便に困惑している人達もいる。
【０００５】
このような人々の排泄物の処理は介護師の最大の苦痛で介護師の獲得が難しく社会問題ともなっている。それにも増して苦痛なのは介護される側で意識があって下半身が麻痺している人々である。自分で処理できない人々の苦痛は絶大である。
正常人でもおなかの具合が悪くなったり粗相の恐れのある場合の人達など及び長時間車両等を利用せねばならなく渋滞などに巻き込まれたり又妊婦でお産を控えていたり緊急手術時の用便の処理など隠れた用便処理問題は以前から存在していた。
【０００６】
又宇宙旅行の際でも無重力状態での排便処理は外界の真空（ＶＡＣＵＵＭ）作用を利用して上部から下部へ空気の流れを作っておき穴の開いた椅子にでん部を押し付けて排便処理を行っている。又小便は各自局部を挿入する筒状の連結部品を持参し排尿処理を行っている。排泄物は真空作用によって固形物とし地球へ持ち帰っている。 
【０００７】
一般人の宇宙旅行への最大の問題点になるのは各自の排泄物の処理能力である。無重力の宇宙船と言う限られた密閉された中で外界のＶＡＣＵＵＭ(真空)力を利用して排泄物を処理し固形化された物を地上に持ち帰るのであるが、装置の充分な利用仕方の訓練不足のために排泄物の船内浮遊の恐れがあるため子供や無重力の状態で治療できるかもしれない病人でも今のところ宇宙旅行へ連れて行くことは出来ない。それは排泄物の処理能力を持っていないからである。一般人の宇宙旅行への最大の障害はこの排泄物の処理能力の取得訓練である。
【考案の概要】
【考案が解決しようとする課題】
【０００８】
以上に述べた従来の水洗トイレでは、日々数回に渡る悪臭を伴う尻拭い、介護人たちによる病人の運搬作業、シャワー、着替え等などの作業を軽減することはできない。
【０００９】
意識のない重症患者や車椅子の人を抱えている家庭、病院、老人ホームなど看護人への負担、人数、長期に渡る日ごとの仕事量、それらの費用、精神的な重荷などを軽減することもできない。
【００１０】
以上のことのために車椅子で生活している人々には常に介護人が必要で遠出もできない。
【００１１】
宇宙でのトイレでは無重力状態で体が浮遊するので失敗したりして汚物を浮遊させたり汚したりして手袋とティッシュで掃除することもしばしばある。
【課題を解決するための手段】
【００１２】
排泄ホースを常設の排泄配管に接合した後水注入ホースを水洗水管のクウックジョイントに接合し又空気ホースを備えればこの装着ホース型水洗トイレは完成する。装置は簡潔、全自動で手間が掛からない。
【００１３】
本考案の装着ホース型水洗トイレとは透明で軟らかく丈夫なプラスチックの注水ホースと排泄ホースを備えたＶ字型排泄物溜めを備えており肛門にのみ開口していて洩れないように肛門の周りに接着のり付けできるように適当な両面接着用シートによって貼り付けされる。従って水洗水や汚物は患者の肌に触れることもなくその間全自動的に排泄作用が行われので手間が省け看護人は安心して他の仕事に従事できる。
【００１４】
でん部との接着面には剥し紐のついた２分割の接着剤カバーシートが用意されているが注意深くそのカバーシートを剥がしながら特に谷間の接着具合を良く観察しながら接着する。更に外部からテープでしっかりと二重に固定させることもできる。安全である。
【００１５】
肛門開口部は各自であるいは介護人によって位置を調節接着、あるいはサインペンでマークした位置に調節接着、または肛門口の位置に合わせることのできる装着用器具を用いても良い。接着後は必要ならばＶ字型泄物溜めに空間が保たれるようにあるいは座り心地の良いように中央の凸部装着物の周りに適当なゲル状の中間サポート板を当てても良い。装着具合、排便行為も心地よく、他人の手間を借りることなく自在である。
【００１６】
ホースは平たくたためるタイプのものを用いてもよい。ホースの長さ収納方法は各ケースによって決定する。小便器は逆止弁を介して別途排泄ホースに合流させる、女性の場合には弾力性のある穴の開いたレンズ状の排尿器を局部に押し付け接着男性の場合は弾力性のある筒状の尿管を接着その上に洩れない装着ホース型水洗トイレを被せればよい。小便作用は大便作用に比べて数倍多いので小便器の取り付けは非常に重要である。
【００１７】
排便器は男女同形である、このように組み立てれば体重圧又３点固定バンドあるいは更なる必要な箇所のテープの貼り付けによって益々体に適合密着し決して洩れない装着ホース型水洗トイレを製作することができる。
【００１８】
車椅子での排泄ガスは通常排泄管に連結されてなくボール弁によって閉鎖されて運ばれるので行き場を失って逆止弁を逆行して排尿ホースから空気ホースによって排出される。尿は排尿ホースから逆止弁を通って排泄ホースへ流されるがその際空気ホースの作用は排尿量を自動的に調節し又サイホン作用によって常に速やかに尿が排出され局部が乾燥する様にするためである。
【００１９】
又逆止弁によって便液の逆流を防いでいる。従ってこの逆止弁の球は水に浮く軽い物でなければならない。必要ならば排泄ホースの詰まりには外部からもみ崩し又バイブレーターを掛ける方法などがあるがホースの材質及び太さで解決を図ることもできる。
【００２０】
洗浄洗剤液及び潤滑液剤を通す方法もある。
【考案の効果】
【００２１】
意識のない重傷患者などは排便のための筋肉の弱体化に伴って大腸にガス及び便が溜まったりして糞詰まりを起こす場合がるが洗浄液を肛門に必要な時に必要なだけ注入して大腸洗浄ができるいわゆる浣腸ができる装置を肛門の上に備えて置くこともできる。悪臭を避けて手を汚すこともなく以上の操作を行うことができる。
【００２２】
意識のない重症患者や車椅子の人を抱えている家庭、病院、老人ホームなど看護人への負担、人数、長期に渡る日ごとの仕事量、それらの費用、精神的な重荷などを軽減でき、又車椅子の人々などには遠出の旅行などもっと自由に行動できるようになる。
【００２３】
本考案によって介護士の不足の問題も解決し、水さえ流せば常に装置を清潔に保つことが出来、臭いを避け何度も使用でき又両面接着シートも容易に交換できる。介護士の苦痛を軽減することができる。
【００２４】
電子装置により外部からのモニターで監視することもできる、センサーを用いれば全自動作用にすることもできる。
【００２５】
妊婦のお産時の排泄物の処理、及び手術時の排泄物の処理などにも応用できる。
【００２６】
糖尿病など寝小便に困っている人々にも応用できる（フローシート図７参照）。
【００２７】
将来的には宇宙旅行者が増えるが、宇宙飛行士が船外活動中に便意を催した場合にはハッチを開けて船内に入り圧力調整を行った後にトイレで宇宙服を脱ぎながら用をなす煩わしさがあるが本考案の宇宙用排泄管を船外にも備えて置けば問題も簡便に解決する。
【００２８】
本考案の装置は宇宙の真空作用に簡便に適合できる必要な構造要素を持ち合わせているので、将来宇宙旅行者は地上で本考案の洩れない装着ホース型水洗トイレ（水洗でなくても良い）を装着訓練後そのまま宇宙へ飛び問題なく地球へ帰還できるようになるであろう。
【００２９】
無重力での治療効果が期待できる病種は、老人病、糖尿病、身体障害者など多くある一方従来の宇宙トイレは重量、空間などの制限により設置数が限られるが、本考案装置は緊急接合部品を伴った配管方式なので何処にでも又船外にも自由に多く設置できる。女性、子供、老人、病人も自由に宇宙旅行を楽しめるようになる。
【００３０】
本考案はたとえ配管設備費用などを用いても結果的には低費用となり、これらのことに携わる人々及び看護人の大きな負担の軽減になり又より人間的な生活への復帰になる。看護人の縮小、ベッド数の増大化もはかれる。
【００３１】
看護用オムツや便器等いろいろ考案されているがポンプや送風機が必要であったりシャワーが必要であったり最後には毎回人手が必要となる欠陥をもっている。本考案には以上の欠陥はなくセンサーや電磁弁を備えれば全自動とすることもできる。本考案は健常者から宇宙旅行者にまで幅広く応用でき男女、子供、あらゆる人種に適合できる。
【００３２】
まず図５，６，７に示してある様に空気ホース１６の付いた女性用小便器１４または男性用小便器１３を貼り付けて置く、その上に大便器を貼り付けるのであるが女性の場合には弾力性のある排尿局部に穴の開いたレンズ状の排尿器を局部に押し付け接着（更にメンスあるいはおりものがある場合のことを考慮して通気性があり膣の上部は開口されていて脱脂綿などが交換できるようになっている尚排尿部とは遮断されている）男性の場合は蒸れないように又睾丸が外にでるように穴が開けられており弾力性のある筒状の尿管を接着その上に装着ホース型水洗トイレを被せて接着させる。
【００３３】
図１、２及び３，４で人体の上部から注水ホース２を股下へとＶ字型排泄物溜め２１の肛門口を中心にでん部に貼り付けシート７と共に両面糊付けシート８によって糊付けされて後部排泄ホース３へと一体となって設けられるが中心の肛門にのみ開口部６が設けられ、全体が装着ホース型水洗トイレとなっている。
【００３４】
肛門の回りにははがし紐９、１０のついた両面接着剤用カバーシート１１が設けられるがはがし紐を片方ずつ左右に引いてしっかりとでん部に糊付け設定３点固定バンドＡ、Ｂ、Ｃによって更に必要ならばテープで二重に固定される。
【００３５】
その後排泄ホース３は排泄ホース４に連結されてボールバルブ１７を介して先端部の脱着クイックジョイント５によって常設排泄封水管１８に接合される、車椅子の場合は車の外部の見えない所にケイタイして常設配管と接合できるようにすることもできる、座ったままでもこの装置が滞りなく作用するようにＶ字型排泄物溜め２１には常に圧力のない空間が出来るように周りに柔らかいゲル状の座り板を挟んであるいは椅子にくぼみを設けたりあるいは穴を開けたりして設定する。
【００３６】
宇宙船用には図17,18,19のようなクイックジョイントとゲートを備えた真空排泄管を用いる、クイックジョイントは排泄管の下がっている下側のゲート板の穴に排泄管の壁に密着するまで挿入押し付けながら上昇させると同時にゲートも上昇し排泄管の開口部にまで到達するので更に押し込むとクイックジョイントのスライドカバーがずれて内部に開口接続が完了する、以上の行程を逆にたどればクイックジョイントは抜かれることになる、その間ひと時もクイックジョイントもゲートとも開かれることも隙間が開くこともない。
【００３７】
このように装着ホース型水洗トイレを人体に設定すると、排泄物はＶ字型排泄物溜め２１に注入されセンサーと電磁弁１９の作用によって自動的に注水ホース２から常設の注水配管より圧入される洗浄水によって排泄ホース４から常設の排泄封水管１８に排泄される。
【００３８】
装置はでん部にのり付け密着更に３点設定バンドＡ、Ｂ、Ｃ及び必要ならばテープによって固定また常に外部からの圧力によって押え付けられ又ホース内部は内圧によってますます密閉適合される傾向にあるので洩れることはない。
【００３９】
車椅子の場合などは通常粗相があっても洩れないようにホースは水注入口並びに排泄口は上向きに排泄物溜めができるように隠れた場所にＵ字状に設定される、水注入配管及び排泄配管はそれぞれの場合によって配管専門家によって実施される（図１２参照）。
【図面の簡単な説明】
【００４０】
【図１】はベッド上の人体側面座図
【図２】はそれを下から見た腰周り図
【図３】、
【図４】はその部品図
【図５】は排尿器設置状態図
【図６】、
【図７】は男女小便器図
【図８】、
【図９】は浣腸装置図
【図１０】は車椅子用フローシート図
【図１１】は寝たきりベッド用フローシート図
【図１２】は図１０，１１の壁面フローシート図
【図１３】、
【図１４】、
【図１５】は図１０，１１の符号番号の詳細図
【図１６】は簡易寝小便ベッド用フローシート図
【図１７】は宇宙船用ゲート式クイックジョイント接合状態図
【図１８】は宇宙船用ゲート式クイックジョイントの接合前後状態図
【図１９】は宇宙船用ゲート式クイックジョイントのサポート状態図
【考案を実施するための形態】
【００４１】
以下、本考案の実施の形態を図１〜図１９に従って説明する。
【００４２】
図１〜図７において、恒温槽からの常設ホースによって恒温水を注入するクウックジョイント1から、注入ホース２、Ｖ字型排泄物溜め２１、排泄ホース３、排泄ホース4、ボールバルブ１７、クウックジョイント5へと連結された一本で一体のホース構造となっている、続いて常設Ｕ字型封水排泄管18へと接続され、通常、恒温注入水は電磁バルブ１９によって閉鎖されている。
【００４３】
排泄物は周りが糊ずけ密着された貼り付けシート７又取り付けバンドＡ，Ｂ，Ｃによって固定されたＶ字型排泄物溜め２１の小さな穴６へ注入され、同時にセンサーによって電磁バルブ１９が開かれて恒温水によって洗浄排泄される。
【００４４】
大腸洗浄すなわち浣腸が必要な病人には図８，９で浣腸用管を手動で肛門口へ挿入又は抜き取り操作を行い必要な時に必要な量、回数で実施される。
【００４５】
小便器図６，７は大便器図２のＶ字型排泄物溜め２１の形成された谷に設置されるが図１０、１１及びその詳細図１５に示すように排泄ホース３，４の間に排尿ホース１５が逆止弁１２を介して連結される、空気管16の作用は全体排出尿量を開放圧によって調節し又サイホンの原理を利用して尿が速やかに排出され局部の乾燥を進行させる。
【００４６】
車椅子の人並びに宇宙飛行士の場合には排泄ホース３及び４は通常排泄管に接続されず排泄ボール弁１７によって閉鎖されているので、排出ガスは行き場を失って逆止弁１２を逆流し空気管１６より排出される。
【実施例】
【００４７】
以下、添付図面に従って一実施例を説明する。所定の常設のＵ字型封水排泄管１８及び注水配管にクイックジョイント５，１を挿入接合しておく。排尿器１３又は１４に連結している排尿ホース15の元から枝分かれしている空気ホース１６は壁際などに吊るしておく。排泄物は随時Ｖ字型排泄物溜め２１に開口穴６から注入、同時にセンサーが感知して電磁バルブ１９を開き恒温水によって全自動洗浄排泄される。尿は排尿ホース１５から逆止弁１２を介して排泄ホース３及び４に排尿される。空気管16の作用は全体排出尿量を調節し又サイホンの原理を利用して尿が速やかに排出され局部の乾燥を行はしめるものである。
【符号の説明】
【００４８】
Ａ    腰まわり取り付けバンド
Ｂ    左腿取り付けバンド
Ｃ    右腿取り付けバンド
１    洗浄水注入クイックジョイント
２    洗浄水注入ホース
３    排泄ホース
４    排泄ホース
５    排泄用クイックジョイント   
６    肛門開口穴
７    でん部貼り付けシート
８    両面糊付けシート
９    カバーシート剥がし紐
１０    カバーシート剥がし紐
１１    カバーシート
１２    排尿管逆止弁
１３    男性用排尿器
１４    女性用排尿器
１５    排尿ホース
１６    空気ホース
１７    排泄ボール弁
１８    排泄封水管
１９    注水電磁弁
２０    排泄管キャップ
２１    Ｖ字型排泄物溜め
【図１】
0003149875.tif 000003
【図２】
0003149875.tif 000004
【図３】
0003149875.tif 000005
【図４】
0003149875.tif 000006
【図５】
0003149875.tif 000007
【図６】
0003149875.tif 000008
【図７】
0003149875.tif 000009
【図８】
0003149875.tif 000010
【図９】
0003149875.tif 000011
【図１０】
0003149875.tif 000012
【図１１】
0003149875.tif 000013
【図１２】
0003149875.tif 000014
【図１３】
0003149875.tif 000015
【図１４】
0003149875.tif 000016
【図１５】
0003149875.tif 000017
【図１６】
0003149875.tif 000018
【図１７】
0003149875.tif 000019
【図１８】
0003149875.tif 000020
【図１９】
0003149875.tif 000021